(57)【特許請求の範囲】
【請求項１】
先端にビット（２ｂ）を有するボーリングロッド（２）と、そのボーリングロッド（２）内に収容可能又はボーリングロッド（２）から突出し可能に構成された注入ロッド（５）と、その注入ロッド（５）に設けられたパッカ（５ｐ）と、そのパッカ（５ｐ）にパッカ膨張用の作動流体を供給するために流体弁（２４）を有する流体供給機構とを有し、ボーリングロッド（２）に注入ロッド（５）を地上側に押圧するロッドばね（８）と注入ロッド（５）を突出させる流体室（Ｇ１）とを備え、注入装置を準備し、ボーリングロッド（２）内に注入ロッド（５）を収容した状態でボーリングロッド（２）を旋回させかつ高圧水によりボーリングロッド（２）の周辺の地盤（Ｍ）を所定深度下でボーリング孔を掘削し、そのボーリングロッド（２）および注入ロッド（５）を前記の収容状態と同じ相対位関係のまま、所定寸法（Ｌ）だけ引き上げ、そして地上の加圧源からの流体を流体室（Ｇ１）に供給して注入ロッド（５）をボーリングロッド（２）から前記所定寸法（Ｌ）突出させて地下方向に降下させ、注入ロッド（５）が所定寸法（Ｌ）まで突出したならば、流体弁（２４）を自動的に開弁してパッカ（５ｐ）にパッカ膨張用流体を供給してパッカ（５ｐ）を膨張させ、地盤（Ｍ）との隙間をシールし、薬液（３６）を注入ロッド（５）の先端から地盤（Ｍ）に向けて噴射させ、次いでパッカ膨張用の作動流体を減圧してパッカを収縮させ、前記所定深度までボーリングロッド（２）と注入ロッド（５）とを戻して定置させることを特徴とする注入工法。
【請求項２】
前記注入ロッド（５）をパッカ（５ｐ）を収縮させる際に、所定深度の位置に突出したままの位置に保持し、ボーリングロッド（２）を回転掘削しつつ降下させて注入ロッド（５）をボーリングロッド（２）内に収容する請求項１記載の注入工法。
【請求項３】
前記ボーリングロッド（２）と注入ロッド（５）とを定置させる際に注入ロッド（５）を引き上げてボーリングロッド（２）内に収容し、注入ロッド（５）を収容した状態でボーリングロッド（２）を降下させる請求項１記載の注入工法。
【発明の詳細な説明】
【０００１】
【発明の属する技術分野】
本発明は、先端外周に掘削ビットを装着したボーリングロッドによりボーリング孔を掘削し、ボーリング孔内に注入ロッドを挿入し、注入ロッドから改良するべき地盤中に薬液を注入して地盤改良を行う注入工法に関する。より詳細には、薬液注入時に地上側へ薬液が逆流するのを防止する膨張性パッカを使用する注入工法に関し、特に、ボーリングロッドを構成するボーリングロッドから注入ロッドを突き出してからパッカを膨張するように構成された注入工法に関する。
【０００２】
【従来の技術】
図１５は、地中の軟弱地盤を薬液注入により改良する従来の技術を開示している。図１５において、図示しないボーリングロッドによりボーリング孔４０を削孔し、ついで、ボーリング孔４０内に注入ロッド５３を挿入する。ここで、注入ロッド５３は削孔装置と注入装置を兼ねた構造となっている。
【０００３】
ボーリング孔４０内に挿入された注入ロッド５３が所定の深度（薬液注入領域）に到達したならば、噴射口３４から、符号３６で示す薬液を噴射して改良地盤３９を造成する。この薬液注入に際してパッカ３０を膨張させて、注入ロッド５３とボーリング孔４０の内壁面（地盤Ｍ）との環状の隙間をシールし、薬液３６が地上側へ逆流（矢印３７で示す）することを防止している。
【０００４】
しかし、図１５で示す様な従来の技術によれば、注入ロッド５３に取り付けられたパッカ３０は、注入ロッド５３をボーリング孔４０内へ挿入する際に、ボーリンク孔４０の内壁面と擦過して、損傷する恐れがある。特に、繰り返し使用して、弾性反発力が弱まり、完全に収縮しなくなってしまったパッカであれば、ボーリング孔４０の内壁面との擦過により、損傷する可能性が極めて高くなる。
【０００５】
【発明が解決しようとする課題】
本発明は上述した従来技術の問題点に鑑みて提案されたもので、地盤（ボーリング孔内壁面）との擦過によるパッカの破損を防止し、注入ロッドの突出しとパッカの膨張とを連続して行うことが出来る注入工法の提供を目的としている。
【０００６】
【課題を解決するための手段】
本発明の注入工法によれば、先端にビット２ｂを有するボーリングロッド２と、そのボーリングロッド２内に収容可能又はボーリングロッド２から突出し可能に構成された注入ロッド５と、その注入ロッド５に設けられたパッカ５ｐと、そのパッカ５ｐにパッカ膨張用の作動流体を供給するために流体弁２４を有する流体供給機構とを有し、ボーリングロッド２に注入ロッド５を地上側に押圧するロッドばね８と注入ロッド５を突出させる流体室Ｇ１とを備え、注入装置を準備し、ボーリングロッド２内に注入ロッド５を収容した状態でボーリングロッド２を旋回させかつ高圧水によりボーリングロッド２の周辺の地盤Ｍを所定深度下でボーリング孔を掘削し、そのボーリングロッド２および注入ロッド５を前記の収容状態と同じ相対位関係のまま、所定寸法Ｌだけ引き上げ、そして地上の加圧源からの流体を流体室Ｇ１に供給して注入ロッド５をボーリングロッド２から前記所定寸法Ｌ突出させて地下方向に降下させ、注入ロッド５が所定寸法Ｌまで突出したならば、流体弁２４を自動的に開弁してパッカ５ｐにパッカ膨張用流体を供給してパッカ５ｐを膨張させ、地盤Ｍとの隙間をシールし、薬液３６を注入ロッド５の先端から地盤Ｍに向けて噴射させ、次いでパッカ膨張用の作動流体を減圧してパッカを収縮させ、前記所定深度までボーリングロッド２と注入ロッド５とを戻して定置させるようになっている。
【０００８】
また本発明の注入工法によれば、前記注入ロッド５をパッカ５ｐを収縮させる際に、所定深度の位置に突出したままの位置に保持し、ボーリングロッド２を回転掘削しつつ降下させて注入ロッド５をボーリングロッド２内に収容するようになっている。
【０００９】
さらに本発明の注入工法によれば、前記ボーリングロッド２と注入ロッド５とを定置させる際に注入ロッド５を引き上げてボーリングロッド２内に収容し、注入ロッド５を収容した状態でボーリングロッド２を降下させるようになっている。
【００１１】
かかる構成を具備する本発明によれば、先ずは従来技術と同様に、先端外周に掘削ビットを装着したボーリング用のボーリングロッドや、注入ロッドから高圧液体を噴射して該ボーリングロッド前方の地盤を掘削して、地下に向かって地盤を掘削し、所定の深度すなわち薬液注入領域に到達したならば、注入ロッドから地盤中に薬液を注入して地盤改良を行う。そして、薬液注入時に地上方向への薬液の逆流逸出を防止するため、弾性体製のパッカを膨張させてシールする。
【００１２】
ここで本発明によれば、薬液注入に際して、地上から供給される加圧流体で前記注入ロッド先端頭部に設けられたピストンを押圧して前記ボーリングロッドから前記注入ロッドを地下方向に突出させ、それからパッカを膨張している。従って、ボーリング孔掘削工程等、地盤を掘削する際にはパッカはボーリングロッドに収容されており、薬液注入に際してのみボーリングロッドから突き出される。そのため、ボーリング孔の内壁面とパッカが擦過して、パッカが破損してしまう恐れは無い。そして、パッカ膨張時には当該パッカはボーリングロッドから突出されているので、必要且つ十分なシールを行って、薬液が地上側へ逆流するのを防止する。
【００１３】
本発明において、前記パッカ膨張用流体は圧縮性の面から気体が好ましく且つ装置、潤滑油等の酸化をさける面から不活性な窒素ガスが好ましい。但し、圧縮エアや液体その他の流体の使用を制限する趣旨ではない。
【００１４】
また、本発明による薬液注入装置において、前記流体供給機構の一例として、前記注入ロッド先端頭部にピストンを設け、該注入ロッドのチューブ部外周にばね座用肩部を形成し、前記ボーリングロッドの内周にばね座を設け、該ばね座と前記ばね座用肩部との間に軸方向に伸縮するロッドばねを介装し、前記ピストンの内側に内弁座を形成し、該ピストンの内側に前記内弁座に当接する外弁座を有するスロットル形の流体弁を嵌装し、前記注入ロッドの所定移動寸法によって該流体弁が開弁する開弁手段を設けるのが好ましい。
【００１５】
上記の様に構成すれば、加圧流体（パッカ膨張用流体）が注入ロッドを所定寸法前進させると自動的に流体弁を開いてパッカにその加圧流体を供給して膨張させるので、注入ロッド突出し、パッカ膨張を連続した作業で行える。
【００１６】
本発明において、前記注入ロッドの位置を前記パッカ収縮工程で所定深さ位置に突出したままの位置に保持して、ボーリングロッドを回転掘削しつつ降下させて、注入ロッドをボーリングロッド内に収容して前記所定深さ位置に定置させれば、手順が最短となっている。
【００１７】
或いは、前記装置定置工程においては、注入ロッドを引き上げてボーリングロッド内に収容し、注入ロッドを収容した状態でボーリングロッドを降下させて前記所定深度さ位置に定置させれば、改良固着された土壌を掘削する際に粉砕された土壌の逃げ場があって、工事が容易である。
【００１８】
【発明の実施の形態】
以下、図面を参照して本発明の実施の形態を説明する。
【００１９】
図１は、本発明の実施形態にかかる、或いは、それを実施するための装置の全体的な構成を示している。地上に通じる多重管１（例えば３重管）には、ボーリングロッド２の一端が接続されている。そのボーリングロッド２の他端にはボーリング用のビット２ｂが装着され、ボーリングロッド２の内部には、軸方向へ突出及び復帰可能に構成された注入ロッド５が挿入されている。後述するように、注入ロッド５は、高圧流体である高圧水によって、軸方向に移動（突出及び復帰）するように構成されている。そして注入ロッド５には、３重管１に連結され且つ高圧水を供給する圧水路２６、注入薬液を供給する薬液路２９、パッカ５ｐに加圧流体である窒素ガスを供給するガス通路Ｇ０（図２参照）が設けられている。但し、高圧エア、その他流体であっても、パッカ５ｐ膨張用の加圧流体として利用可能である。
【００２０】
図３および図４に、流体供給機構の詳細、すなわちボーリングロッド２と注入ロッド５との関係、注入ロッド５の突出伸長及び収縮、パッカ５ｐの膨張、収縮の機能を有する構成の詳細、を示す。図３はボーリングロッド２内に注入ロッド５が収まっている状態を示し、図４は注入ロッド５による高圧水掘削や、薬液注入のために、注入ロッド５がボーリングロッド２から地下方向（図３、図４では右方）に突出している状態を示している。
【００２１】
注入ロッド５は、全体が外側をボーリングロッド２に支持され、内側を３重管１にテーパねじ１６ｓで装着された支持管１６を設けている。そして、３重管１側、即ち、地上側（図３、図４では左側）にピストン６が設けられ、ピストン６の地下側（図３、図４では右側）に形成された内ねじ６ｓに注入ロッド５の基本部材であるチューブ部７の一端（地上側端部）が装着されている。そのチューブ部７の他端（地下側端部）内側に、環状部材２８がねじで装着され、その環状部材２８の内側には、３重管１の圧水路２６と連通する圧水管１８が、ねじにより装着されている。従って、圧水管１８はチューブ部７に固着されて一体に動くようになっている。また環状部材２８には、パッカ５ｐに（パッカ膨張用流体である）窒素ガスを導くガス路Ｇ７が形成されている。
【００２２】
ピストン６は、３重管１との間のガス室Ｇ１を形成すると共に、外周がボーリングロッド２の内周に軸方向へ摺動自在に装着されている。ピストン６の内側には、大径の大孔６ｂと、（後述する弁２４の径寸法よりも大きいが、大孔６ｂの径寸法よりは小さい）中程度の径寸法を有する中孔６ａと、大孔６ｂの端部に形成されて内弁座６ｃを形成するテーパ孔、とが形成されている。そして、孔６ａ、６ｂの内側には、パッカ５ｐに窒素ガスを供給を制御するためのガス弁２４が装着されている。
【００２３】
ガス弁２４は、外径が大孔６ｂより小さく、大孔６ｂとガス弁２４との間の隙間によりガス路Ｇ３が形成されている。そしてガス弁２４の半径方向内方は、支持管１６の外径に軸方向に摺動自在に、しかし軸方向には気密に、嵌装されている。また、ガス弁２４の地下側には、テーパ面として構成された外弁座２４ａが形成されている。
【００２４】
図３で示す状態においては、ガス室Ｇ１には窒素ガス圧が作用しておらず、弁ばね１１の反発力によりガス弁２４は地下側（図３中右方）に付勢されて、その外弁座２４ａが内弁座６ｃと密着して、ガス供給を閉鎖するよう構成されている。また、ガス弁２４の３重管１側に装着された弁ばね１１は、スペーサ１０を介してスナップリング９によって、掘削振動やガス圧変動では開弁しない所定の予荷重で、ガス弁２４を押圧している。なお、スナップリング９とスペーサ１０との密着状態でも、ガス室Ｇ１とガス弁２４との流通は確保されるように、スペーサ１０は構成されている。
【００２５】
チューブ部７の外周にばね座部７ａが形成され、そのばね座部７ａとボーリングロッド２の下方部に装着されたストッパ２ａのばね座部２ａ１との間には、ロッドばね８が装着されている。このロッドばね８は、ガス室Ｇ１に圧力が作用しない無圧状態では、図３で示すように、注入ロッド５の基本部材であるチューブ部７を地上側（図３では左側）に押圧し、注入ロッド５がボーリングロッド２内に収まるように、ばね諸元を設定されている。ストッパ２ａは、ロッドばね８の一端を支持すると共に、ボーリングロッド２の継ぎ手の役割と、チューブ部７を摺動可能に支持するように構成されている。
【００２６】
支持管１６は、前記のガス弁２４を直線管部で摺動可能に支持すると共に、地下側端部に形成されたストッパ１６ａによって、注入ロッド５の突出しストロークを制約し、ガス弁２４を開閉させるような開弁手段として構成されている。例えば、図示の実施形態では、チューブ部７の移動量すなわち注入ロッド５の突出しするストロークは、１２００ｍｍに設定されている。所定のストロークだけ移動すると、ガス弁２４の先端部２４ｂがストッパ１６ａの肩部１６ｂに当接して、注入ロッド５の突出しが停止する。その段階では、スナップリング９、スペーサ１０を介した弁ばね１１の圧縮量が開弁量となって、ガス弁２４の外弁座２４ａと内弁座６ｃとは離隔してガス路Ｇｖを形成する。また、ストッパ１６ａの外径とチューブ部７の内径との隙間がガス路Ｇ５を形成し、ストッパ１６ａの地下側は圧水管１８とチューブ部７との隙間でガス路６を形成している。
【００２７】
上記の構成によって、窒素ガスの通路は、注入ロッド５が突出（或いは突出しながら掘削）する際には、に座着して、ガス路Ｇｖをシールするので、図示しないガス供給源から供給されたパッカ膨張用窒素ガスは、ガス通路Ｇ０から容積の変化するガス室Ｇ１、ガス路Ｇ２、Ｇ３で留まり、パッカには供給されない。
【００２８】
注入ロッド５の突出しが所定のストローク制限（例えば１２００ｍｍ）に到った時には、ピストン６及びチューブ部７にはガス圧が作用しているので地下側  （図３、図４中右側）へ移動し続けるが、ガス弁２４はストッパ１６ａに当接するので、それ以上地下側には移動しない。その結果、内弁座６ｃがガス弁２４よりも地下側へ移動し、内弁座６ｃと外弁座２４ａとは密着した状態ではなくなり、ガス弁２４が開弁する。そして、ガス室Ｇ１、ガス路Ｇ２、ガス路Ｇ３、Ｇ５〜Ｇ７へ通じてパッカ５ｐに至るガス流路が構成されるのである。
【００２９】
次に、図示の実施形態の作動状態を説明する。ここで、図１はボーリングロッド２内に注入ロッドが収まって、ビット掘削、高圧水掘削を状態、または、不作動定置状態を示し、図５は注入ロッド５が突出する状態を示し、図６は図５での高圧水掘削が完了しパッカ５ｐを膨張させて薬液注入可能な状態にあることを示している。
【００３０】
以上の構成装置を使用した工法手順を、図７〜図１４を主に説明する。
１．ボーリング孔掘削工程。
地上からの回転駆動力を伝達することによって、ボーリングロッド２を旋回させ、ビット２により、そして、地上の高圧液源から供給され圧水路２６から導かれた高圧水により、ボーリングロッド２周辺の地盤Ｍを掘削し、ボーリング孔を地下の所定深さまで掘削する（図７および図１）。この時のボーリングロッド２と、注入ロッド５との位置関係は、図３の状態にある。
【００３１】
２．掘削装置引き上げ工程。
ボーリングロッド２および注入ロッド５を、前記ボーリング孔掘削工程の状態と同じ相対位置関係のまま、所定寸法Ｌだけ引き上げる（図８）。所定寸法Ｌは、パッカ膨張時の軸方向距離Ｌｐと薬液注入ゾーンＬｊとによって、設定される（図１０）。最初の注入ゾーンＬｊは第１のステージとなり、以後はこの第１のステージに接して、それより下方の注入ゾーンが第２のステージとなっていく（ステップダウン方式）。この引き上げ工程後のボーリングロッド２と、注入ロッド５との位置関係も、図１および図３の状態にある。
【００３２】
３．注入ロッド５突出し工程。
地上の加圧源から供給される高圧の窒素ガスでピストン６（図３、図４）を押圧して、注入ロッド５を突出して、所定寸法Ｌ（前記ボーリング孔掘削工程の掘削深さ）まで降下させる（図９）。
【００３３】
この時のボーリングロッド２と、注入ロッド５との位置関係は、ほぼ図４及び図５の状態にある。ただし、図４で示すのとは異なり、ガス弁２４は未だ閉弁状態にある。
【００３４】
４．パッカ５ｐ膨張工程。
注入ロッド５を前進させ、所定の突出し量（例えば１２００ｍｍ）まで突出すと、ガス弁２４が開弁し（図４）、パッカ膨張用流体である高圧窒素ガスがパッカ５ｐへ供給され、当該パッカを膨張させて、地盤Ｍとチューブ部７との隙間をシールする。
【００３５】
この時のボーリングロッド２と、注入ロッド５との位置関係は図４の状態にあって、ガス弁２４は開弁状態となり、ガス路Ｇ０、ガス路Ｇｖ、パッカ５ａに高圧窒素ガスを供給するガス流路が構成されている（図１０および図６）。
【００３６】
５．薬液注入工程。
薬液３６を地盤Ｍに向けて噴射し注入する（図１１）。この時のボーリングロッド２と、注入ロッド５との位置関係は図４および図６の状態にある。
【００３７】
６．パッカ５ｐ収縮工程。
薬液注入完了後にパッカ５ｐを収縮する。窒素ガスの供給源を大気側へ開放すれば、ガス室Ｇ１の圧力が低下し、パッカ５ｐ内の高圧窒素ガスはガス路Ｇｖを通って開放される。そしてパッカ５ｐは、自身の弾性収縮力によって収縮する  （図１２）。
【００３８】
７．装置定置工程。
前記ボーリング孔掘削工程で掘削した深度（所定深さ）まで、ボーリングロッド２と注入ロッド５を戻し、つぎのステージで掘削、薬液注入を行う準備をする。そのために、注入ロッド５は移動させず、注入ロッド５の位置を前記パッカ５ｐ収縮工程のままに保持し、ボーリングロッド２を回転作動して下降せしめ、注入ロッド５をボーリングロッド２内に収容せしめる（図１３）。
【００３９】
この場合の注入ロッド５は、ボーリングロッド２に対して相対的にボーリングロッド２内へ引き戻すことになる。そのため、ボーリングロッド２の降下掘削寸法に相当する引戻し量だけ、窒素ガス圧を減じてロッドばね８（図３、図４参照）により引戻す。或いは、この様なガス圧制御等によるボーリングロッド２の掘削に関係なく、ガス室Ｇ１の圧力を低減してロッドばねの復元力で注入ロッド５をボーリングロッド２内に一気に引戻すことができる。
【００４０】
図１３を参照して上述した装置定置工程とは別の態様の方法が、図１４では示されている。当該別の態様を、図１４を参照して説明する。
【００４１】
１）  図１４において点線で表示する用に、注入ロッド５を、前記掘削装置引き上げ工程（図８）と同位置まで引き上げる。この場合、注入ロッド５の引上げは、パッカ膨張用ガスの減圧によって行う。
【００４２】
２）  前記ボーリング孔掘削工程（図７）と同様に、注入ロッド５をボーリングロッド２内に収容した状態で、ボーリングロッド２先端部よりも下方の領域を掘削する。そして装置の元位置への設置工程の初期における注入ロッド５の位置までボーリングロッド２を回転・掘削しつつ、下降する。
【００４３】
図１４で示す方法では、注入ロッド５を引き上げる分だけ作業工程が増えるが、注入ロッド５がボーリングロッド２内に収容されているので、注入ロッド５の引き上げ量Ｌ（図８）の分だけボーリングロッド２を下降せしめる際に、中空となった領域（改良固着した中空土壌を含む）を掘削することとなり、粉砕された土壌が内側に崩れる等の理由により掘削が容易となり、掘削速度が早くなるという利点がある。
【００４４】
【発明の効果】
本発明の作用効果を、以下に列挙する。
（１）  掘削に際して、パッカが取り付けられた注入ロッドはボーリングロッドの内側に収容されているので、ボーリング孔内壁面とパッカが擦過して、パッカが破損することが防止される。
（２）  薬液注入に際しては、薬液が地上側に逆流しようとしても、パッカにより完全にシール出来る。
（３）  液体掘削させる注入ロッドの突き出しを、加圧流体よって行うので、ロッドばねの弾性と相俟って掘削衝撃が緩和される。
（４）  突き出し所定最大寸法で流体弁（実施例ではガス弁）が自動的に開弁し、パッカを膨張させるので、同一流体の圧力で作業を連続して行うことが出来て、工事の滞りがない。
（５）  ガス弁をスロットル形とし、弁ばねで予荷重を与えているので、振動、衝撃に対して弁機能が損なわれない。また、ガス弁の開弁を、ストッパへの当接によっているので開弁量が機械的に保証され、誤作動を生じ難い。
（６）  ボーリング孔掘削工程から装置定置工程に至るまで、特にパッカ膨張工程、薬液注入工程、パッカ収縮工程が一貫した工程として実施されるので、工事全体の流れが良い。
（７）  装置定置工程では、パッカ収縮工程の注入ロッドが突き出したままの状態からボーリングロッドを降下させビット掘削して定位置に定置させれば、手順が最短にできる。
（８）  装置定置工程では、パッカ収縮工程の注入ロッドが突き出したままの状態から、注入ロッドを一旦ボーリングロッド内に収容し、その後に掘削を行えば、改良固着した土壌の掘削粉砕に逃げ場（薬液注入時に注入ロッドが位置していた空間）が存在し、掘削が容易となる。
【図面の簡単な説明】
【図１】本発明の実施形態を示す装置の概要構成図であり、ビット掘削と高圧水掘削を同時に行っている状態を示す断面図。
【図２】図１のＸ−Ｘ断面図。
【図３】図１の注入ロッドの詳細構成を示す側断面図。
【図４】図３における注入ロッドの移動状態を示す側断面図。
【図５】注入ロッドが高圧水掘削のためにボーリングロッドから突出した状態を示す側断面図。
【図６】高圧水掘削を完了後に、図５の注入ロッド位置でパッカが膨張した状態を示す側断面図。
【図７】所定深さまでボーリングした状態を示す側面図。
【図８】地盤に薬液注入のため装置を一旦引き上げた状態を示す側面図。
【図９】注入ロッドだけをボーリングロッドから突き出した状態を示す側面図。
【図１０】パッカを膨張させた状態を示す側面図。
【図１１】薬液を噴射注入している状態を示す側面図。
【図１２】薬液注入完了後にパッカを収縮した状態を示す側面図。
【図１３】地盤改良を次に進めるため、ボーリングロッドを当初のボーリング深さに定置させた状態を示す側面図。
【図１４】図１３で示すのとは別の態様により、地盤固着部の１部を掘削開始する状態を示す側面図。
【図１５】従来の薬液注入装置を示す側断面図。
【符号の説明】
Ｇ０・・ガス通路
Ｇ１・・ガス室
Ｇ２、Ｇ３、Ｇ４、Ｇ５、Ｇ６、Ｇ７、Ｇｖ・・ガス路
１・・・３重管
２・・・ボーリングロッド
２ａ・・ストッパ
２ｂ・・ビット
２ｓ１、２ｓ２・・ねじ
５・・・注入ロッド
５ｐ・・パッカ
６・・・ピストン
６ａ・・中孔
６ｂ・・大孔
６ｃ・・内弁座
７・・・チューブ部
７ａ・・ばね座
８・・・ロッドばね
９・・・スナップリング
１０・・スペーサ
１１・・弁ばね
１６・・支持管
１６ａ・ストッパ
１６ｂ・ストッパー肩部
１６ｓ・ねじ
１８・・圧水管
２４・・ガス弁
２４ａ・外弁座
２６・・圧水路
２８・・環状部材
２９・・薬液路
【図１】
0004114899.tif 000002
【図２】
0004114899.tif 000003
【図３】
0004114899.tif 000004
【図４】
0004114899.tif 000005
【図５】
0004114899.tif 000006
【図６】
0004114899.tif 000007
【図７】
0004114899.tif 000008
【図８】
0004114899.tif 000009
【図９】
0004114899.tif 000010
【図１０】
0004114899.tif 000011
【図１１】
0004114899.tif 000012
【図１２】
0004114899.tif 000013
【図１３】
0004114899.tif 000014
【図１４】
0004114899.tif 000015
【図１５】
0004114899.tif 000016